(57)【要約】【課題】バッテリを交換可能に装着でき、バッテリの質量、並びに、頭部の動作及び姿勢によらず使用者の身体的負担が少ないヘッドマウントディスプレイを提供する。【解決手段】頭部(Ha)に装着するための本体アーム部(1)と、本体アーム部(1)に取りつけられ、画像を表示する表示部(2c)を有する表示アーム部(2)と、本体アーム部(1)に取りつけられバッテリ(BT)を保持可能なバッテリ保持部(3c)を有するバッテリホルダ部(3)と、バッテリ保持部(3c)で保持したバッテリ(BT)の重心位置(GB)を上下方向に移動可能とする姿勢調整部(ST)と、を備える。【選択図】図１
2018157476.tif 000002
【特許請求の範囲】
【請求項１】
使用者の頭部に装着するための本体アーム部と、
前記本体アーム部に取り付けられ、画像を表示する表示部を有する表示アーム部と、
前記本体アーム部に取りつけられバッテリを保持可能なバッテリ保持部を有するバッテリホルダ部と、
前記バッテリ保持部で保持した前記バッテリの重心位置を上下方向に移動可能とする姿勢調整部と、
を備えることを特徴とするヘッドマウントディスプレイ。
【請求項２】
前記本体アーム部は、上方に延出する支持ブラケットを有し、前記バッテリ保持部は、前記支持ブラケットの上部において、水平よりも下向きに取りつけられていることを特徴とする請求項１記載のヘッドマウントディスプレイ。
【請求項３】
前記支持ブラケットは、前記姿勢調整部として前記本体アーム部に対し上下方向に直動可能又は回動可能とされていることを特徴とする請求項２記載のヘッドマウントディスプレイ。
【請求項４】
前記姿勢調整部は、ボールジョイントを含むことを特徴とする請求項１から請求項３のいずれか１項に記載のヘッドマウントディスプレイ。
【発明の詳細な説明】
【技術分野】
【０００１】
本発明は、ヘッドマウントディスプレイに係る。
【背景技術】
【０００２】
いわゆるヘッドマウントディスプレイとも称される頭部装着型の表示装置が知られており、特許文献１に記載されている。
特許文献１に記載されたヘッドマウントディスプレイは、頭部装着時の左右均等な重量バランスを確保するために、頭部に装着する保持手段の側頭部などにバッテリを収納するようになっている。
【先行技術文献】
【特許文献】
【０００３】
【特許文献１】特許第３７５８２８０号公報
【発明の概要】
【発明が解決しようとする課題】
【０００４】
ヘッドマウントディスプレイ（以下、ＨＭディスプレイとも称する）は、ゲーム用或いは映像観賞用の表示装置としての娯楽性の高い用途から、作業時の視覚情報取得手段としての業務用途へと、用途拡張が進んでいる。
具体的には、例えば、倉庫の荷扱いを行う作業者が装着使用し、荷物や配送に関する情報を視認把握しつつ仕分けや確認などの作業を行う用途がある。
【０００５】
このような業務用途では、長時間の連続装着と、使用者のさまざまな動作（首を前後左右に傾ける、左右を向く）や姿勢（前屈みの姿勢、上を見上げる姿勢）に伴う使用と、が前提となる。
長時間の連続使用には、容量の大きいバッテリが必要となるが、容量の大きいバッテリは重いため、装置自体ではなく例えば腰に装着し、バッテリと頭部に装着したＨＭディスプレイとの間を、電源ケーブルで接続することも行われている。
しかしながら、腰に付けたバッテリと頭部のＨＭディスプレイとを繋ぐ電源ケーブルは、倉庫の荷扱い作業などでは、作業の邪魔になるなど不具合も多い。
そのため、ＨＭディスプレイに対しては、バッテリを交換可能に装着しつつ、そのバッテリが重くても、頭部の動作や姿勢によらず使用者の負担が少ないこと、が望まれている。
【０００６】
そこで、本発明が解決しようとする課題は、バッテリを交換可能に装着でき、バッテリの質量、並びに、頭部の動作及び姿勢によらず使用者の身体的負担が少ないヘッドマウントディスプレイを提供することにある。
【課題を解決するための手段】
【０００７】
上記の課題を解決するために、本発明は次の１）の構成を有する。
１）  使用者の頭部に装着するための本体アーム部と、
前記本体アーム部に取り付けられ、画像を表示する表示部を有する表示アーム部と、
前記本体アーム部に取りつけられバッテリを保持可能なバッテリ保持部を有するバッテリホルダ部と、
前記バッテリ保持部で保持した前記バッテリの重心位置を上下方向に移動可能とする姿勢調整部と、
を備えることを特徴とするヘッドマウントディスプレイである。
【発明の効果】
【０００８】
本発明によれば、バッテリを交換可能に装着でき、バッテリの質量、並びに、頭部の動作及び姿勢によらず作業者の身体的負担が少ない、という効果が得られる。
【図面の簡単な説明】
【０００９】
【図１】図１は、本発明の実施の形態に係るヘッドマウントディスプレイの実施例であるＨＭディスプレイ５１の頭部Ｈａへの装着状態を説明するための斜視図である。
【図２】図２は、ＨＭディスプレイ５１の装着状態を説明するための右方から見た側面図である。
【図３】図３は、ＨＭディスプレイ５１の装着状態での上面図である。
【図４】図４は、ＨＭディスプレイ５１におけるバッテリホルダ部３の組立図である。
【図５】図５は、バッテリＢＴの取り付け姿勢を説明するための第１の模式図である。
【図６】図６は、ＨＭディスプレイ５１の装着状態での重心位置を説明するための模式的上面図である。
【図７】図７は、バッテリＢＴの取り付け姿勢を説明するための第２の模式図である。
【図８】図８は、変形例１としてのＨＭディスプレイ５２の支持ブラケット１ｃＡとその近傍構造を説明するための部分斜視図である。
【図９】図９は、ＨＭディスプレイ５２におけるバッテリＢＴの重心位置ＧＢの調整可能範囲を説明するための模式図である。
【図１０】図１０は、変形例２としてのＨＭディスプレイ５３の支持ブラケット１ｃＢとその近傍構造を説明するための部分斜視図である。
【発明を実施するための形態】
【００１０】
本発明の実施の形態に係るヘッドマウントディスプレイを、実施例のＨＭディスプレイ５１により、まず図１〜図３を参照して説明する。
以下の説明において、前後左右上下方向を、起立した使用者Ｈの頭部Ｈａに装着した状態における前後左右上下方向として規定し、各図に矢印で示す。例えば、前方は顔の向く方向である。
【００１１】
図１は、ＨＭディスプレイ５１を、使用者Ｈの頭部Ｈａに装着した状態（以下、装着状態とも称する）を、前方斜め右上から見た斜視図である。
図２は、図１の装着状態を右方から見た側面図である。
図３は、図２の上面図であって、ＨＭディスプレイ５１を実線で、頭部Ｈａを一点鎖線で示した図である。
【００１２】
ＨＭディスプレイ５１は、頭部Ｈａに装着するための、弧状の本体アーム部１と、本体アーム部１の左右一方の側部に取り付けられ、前方に延び先端に表示部を有する表示アーム部２と、本体アーム部１における、表示アーム部２に対し頭部対称位置に設けられたバッテリホルダ部３と、外部の装置との間で情報を送受信する通信部５と、を有している。
【００１３】
本体アーム部１は、装着状態で頭部Ｈａの側頭部に位置する左右一対のアーム基部１ａと、一対のアーム基部１ａを前頭部側で連結し、前方やや上部に位置する弧状のアーム連結部１ｂと、を有する。
【００１４】
アーム基部１ａの後方端には、上下方向に細長い貫通孔としてベルト孔１ａ２（図８参照）が形成されている。一対のアーム基部１ａのベルト孔１ａ２には、一部に面ファスナを有する調整ベルト４が内側から挿通されると共に、その両端部が折り返されて面ファスナによって係止され、任意の長さで保持できるようになっている。
これにより、使用者Ｈは、調整ベルト４の長さを適切に調整することで、本体アーム部１を良好な感触で頭部Ｈａに装着することができる。
【００１５】
一対のアーム基部１ａは、左右対称形状を有し、それぞれ表示アーム部２を着脱可能に支持する台座１ａ１を有する。
図１〜図３には、表示アーム部２を左側のアーム基部１ａの台座１ａ１に取り付けた例が示されている。
表示アーム部２は、不図示のネジにより、使用者Ｈ自身で左右いずれか好みの台座１ａ１に取り付けることができる。
【００１６】
表示アーム部２は、台座１ａ１に固定されるベース２ａと、ベース２ａに連結されて前方に延びる中間アーム２ｂと、中間アーム２ｂの先端に取り付けられた表示部２ｃと、を有する。
ベース２ａは、ボールジョイントにより台座１ａ１に支持され、台座１ａ１に対し、支持部位の離接を除き、所定範囲で自由な揺動姿勢を取り得るようになっている。
中間アーム２ｂは、図１に示されるように、ベース２ａと連結部２ｄにおいて連結し、ベース２ａに対しその軸線ＣＬ２ａまわり（矢印ＤＲａ）の任意の回動姿勢で保持可能とされている。
【００１７】
表示部２ｃは、中間アーム２ｂと連結部２ｅにおいてボールジョイントにより連結し、支持部位の離接を除き、所定範囲で自由な揺動姿勢を取り得る。
表示部２ｃには、表示素子２ｃ１及び表示素子２ｃ１を駆動する駆動部２ｃ２が収容されている。
表示素子２ｃ１は、使用者の顔に向けて画像を表示する姿勢で備えられ、駆動部２ｃ２は、通信部５が外部の装置から受信した映像やデータなどの情報を表示素子２ｃ１に表示させる。
【００１８】
使用者Ｈは、ベース２ａ，中間アーム２ｂ，及び表示部２ｃを好みの姿勢にして使用する。詳しくは、一方の目（この例では左目）の視野内に、表示素子２ｃ１の画像が入るようにする。例えば、図１及び図２に示されるように、表示素子２ｃ１の画像が、目の視野中心から下方に外れた視野内位置にくるようにする。
【００１９】
図３に示されるように、頭部Ｈａの上下方向に延びる中心線ＣＴの位置を挟んで表示アーム部２の反対側となる位置に、バッテリホルダ部３が設けられている。
このバッテリホルダ部３について、組立図である図４も参照して次に説明する。
【００２０】
図４は、右側のアーム基部１ａ近傍を、ＨＭディスプレイ５１の左後ろ斜め上方から見た斜視的組立図である。
バッテリホルダ部３は、アーム基部１ａの後端近傍において上方に一体延出した支持ブラケット１ｃと、支持ブラケット１ｃにねじＮ１で着脱自在に固定されるボールジョイント３ｂと、ボールジョイント３ｂのボール部３ｂ１に外嵌するボールホルダ部３ｃ１を有しバッテリＢＴを保持するバッテリ保持部３ｃと、ボール部３ｂ１に外嵌したボールホルダ部３ｃ１をねじで締め付けるナット３ｄと、を有して構成される。ここで、ボールホルダ部３ｃ１の揺動中心となるボール部３ｂ１の中心の位置を、中心位置Ｃ３ｂとする（図１参照）。
【００２１】
支持ブラケット１ｃは、アーム基部１ａから概ね真上に延出する上方延出部１ｃ１と、上方延出部１ｃ１の上部先端から傾斜して右方（外方）斜め上に延出する傾斜部１ｃ２と、を有する。
傾斜部１ｃ２には、ねじＮ１の軸部を挿通する貫通孔１ｃ３が形成されている。貫通孔１ｃ３の軸線ＣＬａは、ＨＭディスプレイ５１の頭部Ｈａへの装着状態において、頭部Ｈａの中心を通り上下に延びる中心線ＣＴと頭部Ｈａの上方の交点ＣＰａで交わる（図１参照）、或いは近接交差するように延びている。
頭部Ｈａの形状は個人差が大きいので、実質的には、軸線ＣＬａは、上方に向かうに従って、頭部Ｈａの中心線ＣＴに接近する方向に傾斜して延びている仮想線となる。以下の説明では、理解容易のため、中心線ＣＴと軸線ＣＬａとが交点ＣＰａで交わる場合を説明する。
【００２２】
上述の支持ブラケット１ｃは、左右対称に一対のアーム基部１ａそれぞれに設けられている。
バッテリ保持部３ｃは、ボール部３ｂ１に外嵌したボールホルダ部３ｃ１を有することから、ボール部３ｂ１の中心位置を中心とした所定の範囲で自由な姿勢を取り得る。この姿勢は、ナット３ｄを適切に締め付けることでボール部３ｂ１との間に生じる摩擦力で維持される。
【００２３】
図４に示されるように、バッテリ保持部３ｃは、ボールホルダ部３ｃ１とベルトホルダ部３ｃ３とを有する。
ベルトホルダ部３ｃ３は、ラッチ３ｃ２ａを有する樹脂製のベルト３ｃ２を、先端部３ｃ２ｂを矢印ＤＲｂ方向に引っ張りラッチ３ｃ２ａを係合爪に逆方向移動不能に係止させることで、締め上げ可能とされている。
また、締め上げたベルト３ｃ２は、係合解除片３ｃ２ｃを係合解除方向に指などで移動させてラッチ係合を解除し、緩めることができるようになっている。
【００２４】
図１〜図３に示される例では、ベルトホルダ部３ｃ３は、横断面形状が長円形を呈する扁平柱状のバッテリＢＴを保持している。このバッテリＢＴは、いわゆる汎用バッテリである。
【００２５】
ＨＭディスプレイ５１は、バッテリＢＴをベルトホルダ部３ｃ３のベルト３ｃ２の締め上げで保持するようになっているので、使用者Ｈは、種々の形状のバッテリＢＴを簡単な操作で着脱することができる。
バッテリＢＴを取り付けていない状態でのバッテリ保持部３ｃの質量に比べ、バッテリＢＴの質量は十分大きい。そのため、バッテリＢＴを取り付けたバッテリ保持部３ｃとしての重心位置は、バッテリＢＴの重心位置ＧＢと等しいとみなすことができる。
【００２６】
図３に示されるように、通信部５は、箱状を呈しフック５ａを有する。ＨＭディスプレイ５１を使用する際には、後頭部に位置する調整ベルト４にフック５ａを引っ掛けて取り付けておく。
また、バッテリＢＴとの間をケーブル５ｂで接続し、表示アーム部２のベース２ａとの間をケーブル５ｃで接続する。ケーブル５ｃは、ベース２ａ及び中間アーム２ｂの内部を通り、表示部２ｃ内の駆動部２ｃ２に接続されている。
これにより、バッテリＢＴからの電力が通信部５を経由して駆動部２ｃ２及び表示素子２ｃ１に供給され、通信部５において外部から受信した画像情報等が、駆動部２ｃ２に入力されて表示素子２ｃ１に表示される。
【００２７】
上述の構成を有することにより、ＨＭディスプレイ５１は、まず、バッテリ保持部３ｃの重心位置ＧＢを、ボールジョイント３ｂの可動範囲内で移動させることができる。
図５は、軸線ＣＬａに直交する方向であって、頭部Ｈａの中心線ＣＴと軸線ＣＬａとが一致して視認される方向から見たバッテリＢＴの姿勢を説明するための模式図である。
図５に示されるように、バッテリＢＴは、中心位置Ｃ３ｂを中心とする角度θｂ１の範囲の円弧状に前後回動して姿勢変更可能である。
これにより、実質的にバッテリ保持部３ｃの重心位置とみなせるバッテリＢＴの重心位置ＧＢを、重心位置ＧＢ１と重心位置ＧＢ２との間の円弧状範囲内で調整設定することができる。
【００２８】
図６は、ＨＭディスプレイ５１を装着した頭部Ｈａの上方視の模式図である。
図６に示された表示アーム部２の重心位置ＧＡは、主に、中間アーム２ｂ及び表示部２ｃを昇降回動（図１の矢印ＤＲｃ参照）させる、ベース２ａの左右方向に延びる軸線まわりの回動により、表示部２ｃを上げた状態の重心位置ＧＡ１と降ろした状態の重心位置ＧＡ２との間の角度θ６の範囲で移動する。
この重心位置ＧＡの移動に対応し、バッテリホルダ部３は、取り付けたバッテリＢＴの上方視における重心位置ＧＢを、周方向の所定の範囲で調整可能とされている。調整可能な所定の範囲は、重心位置ＧＡ１及び中心線ＣＴの位置を通る直線上の重心位置ＧＢ１と、重心位置ＧＡ２及び中心線ＣＴの位置を通る直線上の重心位置ＧＢ２との間の角度θ６の範囲を少なくとも含む周方向範囲である。
【００２９】
これにより、ＨＭディスプレイ５１の装着状態における前後左右の重量バランスを、表示アーム部２の使用姿勢によらず良好に調整することができる。
この調整は、バッテリホルダ部３がボールジョイント３ｂで姿勢維持されていることから容易であり、使用者が装着状態のまま手で調整することが可能である。そのため、ＨＭディスプレイ５１は、装着感触のみならず取り扱いにも優れる。
【００３０】
ＨＭディスプレイ５１は、バッテリＢＴの重心位置ＧＢを、装着状態における周方向のみならず、図７に示されるように上下方向にも移動調整可能となっている。この例では、ボールジョイント３ｂ及びボールホルダ部３ｃ１を含んでバッテリＢＴの姿勢を調整する姿勢調整部ＳＴが構成されている。
図７は、軸線ＣＬａと中心線ＣＴを含む仮想面に直交する方向の前側から見たバッテリＢＴの姿勢を説明するための模式図である。
【００３１】
図７に示されるように、バッテリＢＴは、中心位置Ｃ３ｂを中心とする角度θｂ２の範囲の円弧状に上下回動して姿勢変更可能である。
この姿勢変更に伴い、バッテリＢＴの重心位置ＧＢは、最上の重心位置ＧＢ３と、最下の重心位置ＧＢ４との間の上下方向の距離Ｌａの範囲で調整可能となっている。
また、バッテリＢＴが上下回動することで、重心位置ＧＢは、重心位置ＧＢ３と重心位置ＧＢ４との間の径方向の距離Ｌｂの範囲で上下方向と連動して調整可能となっている。
【００３２】
装着状態で、頭部Ｈａの中心線ＣＴの位置を中心とする前後左右方向で重量バランスが取れていると、少なくとも頭部Ｈａを動かさない静姿勢での装着感が良好となる。
一方、重量物であるバッテリＢＴの重心位置ＧＢは、低い位置にある方が、頭部Ｈａ前後や左右に傾ける傾頭動作で首に加わる負荷が低減するので好ましい。
また、バッテリＢＴの重心位置ＧＢが、より頭部Ｈａに近い位置にあると、頭部Ｈａを左右に回す回頭動作で、首に加わる負荷が低減するので好ましい。
ＨＭディスプレイ５１は、重心位置ＧＢの上下方向の調整に連動して頭部Ｈａに対する離接方向（径方向）の調整を行える。詳しくは、重心位置ＧＢを下げると、自ずと頭部Ｈａに近づくように調整できるようになっている。
これにより、ＨＭディスプレイ５１はバッテリＢＴの質量及び形状、並びに、身体の動作及び姿勢によらず、使用者の身体的負担を少なくすることができる。
【００３３】
ＨＭディスプレイ５１は、一対の支持ブラケット１ｃ，１ｃを左右対称に備えている。
これにより、左右の目のうちの、表示部２ｃの表示画面を見る目に応じて選択した一方の台座１ａ１に取り付けた表示アーム部２に対し、バッテリホルダ部３を、頭頂部（中心線ＣＴの位置）を挟んで頭部Ｈａの反対側の支持ブラケット１ｃに装着することができる。
従って、使用者は、表示部２ｃを見る目が左右いずれであるかによらず、ＨＭディスプレイ５１を良好な重量バランスで頭部Ｈａに装着できる。
【００３４】
また、バッテリホルダ部３において、バッテリ保持部３ｃは、支持ブラケット１ｃの上部に、水平よりも下向きに取り付けられている。そして、バッテリ保持部３ｃを交換する際に緩締するねじＮ１は、工具を、例えば下方向、斜め下方向、及び水平方向からではなく、水平よりも上方向から宛がうことができる姿勢になっている。詳しくは、軸線ＣＬａは、ねじＮ１の姿勢が軸部側よりも頭部側の方が高くなるように設定されている。この例では、工具は、ねじＮ１の頭部に、斜め上方向から宛がうようになっている。
これにより、ねじＮ１の緩締作業が容易である。
具体的には、支持ブラケット１ｃを、上方延出部１ｃ１とその先端から傾斜延出する傾斜部１ｃ２とで形成し、アーム基部１ａの上方の傾斜部１ｃ２において、バッテリ保持部３ｃを、ねじＮ１で固定したボールジョイント３ｂを介して水平よりも下方向きに支持する構成とした。
これにより、ＨＭディスプレイ５１は、バッテリ保持部３ｃの位置替え作業が容易である。例えば、ＨＭディスプレイ５１を机上に置いた状態のまま、ねじＮ１を緩締しバッテリホルダ部３を交換することができる。
【００３５】
以上詳述した実施例は、上述の構成に限定されるものではなく、本発明の要旨を逸脱しない範囲において変形した変形例としてもよい。
【００３６】
（変形例１）
実施例では、バッテリホルダ部３におけるアーム基部１ａに対し、支持ブラケット１ｃを一体で延出する部位として説明した。これに対し、支持ブラケット１ｃをアーム基部１ａとは別体にすると共に、アーム基部１ａに対し上下方向に位置調整可能な姿勢調整部ＳＴとしても機能させる変形例１としてもよい。
【００３７】
図８は、変形例１としてのＨＭディスプレイ５２の支持ブラケット１ｃＡとその近傍構造を説明する右後斜め上方から見た部分斜視図である。図８において、調整ベルト４は、二点鎖線で示されている。
【００３８】
ＨＭディスプレイ５２は、ＨＭディスプレイ５１の支持ブラケット１ｃに対応する独立の部材として支持ブラケット１ｃＡを有する。
支持ブラケット１ｃＡは、上方延出部１ｃ１に対応した上方延出部１ｃ１Ａと、上方延出部１ｃ１Ａの一端部（上方側の端部）に接続して傾斜部１ｃ２Ａと、を有する。
傾斜部１ｃ２Ａには、支持ブラケット１ｃと同様にボール部３ｂ１がねじＮ１により軸線ＣＬａ上に取り付けられている。
【００３９】
一方、上方延出部１ｃ１Ａには、上下に長い長孔１ｃ４Ａが形成されており、支持ブラケット１ｃＡは、長孔１ｃ４Ａに挿通されたねじＮ２によってアーム基部１ａに取り付けられている。
長孔１ｃ４ＡにおけるねじＮ２を締め付ける位置を調整することで、アーム基部１ａに対する支持ブラケット１ｃＡの位置を、上下方向に距離ΔＬの範囲で調整可能となっている。
【００４０】
この構成により、ＨＭディスプレイ５２におけるバッテリＢＴの重心位置ＧＢの調整可能範囲は、図７に対応した図９に示されるハッチング付き範囲ＡＲａで示される。
図９において、重心位置ＧＢ３及び重心位置ＧＢ４は図７と同じである。これに対し、支持ブラケット１ｃＡのアーム基部１ａに対する位置が上下方向に距離ΔＬの範囲で調整可能となることから、重心位置ＧＢ３は、さらに下方に移動したＧＢ５との間でも調整可能となり、重心位置ＧＢ４は、同様に重心位置ＧＢ６との間でも調整可能となる。
従って、バッテリＢＴの重心は、支持ブラケット１ｃＡの位置調整により、重心位置ＧＢ３〜ＧＢ６で囲まれた範囲ＡＲａの任意の位置に調整設定可能となる。
【００４１】
これにより、ＨＭディスプレイ５２におけるバッテリＢＴの重心位置は、ＨＭディスプレイ５１におけるボールジョイントでの調整距離である距離Ｌａに、さらに距離ΔＬを加えた距離Ｌａ２で上下方向に調整可能となり、使用者の負担をより少なくできる。
【００４２】
（変形例２）
実施例に対し、支持ブラケット１ｃをアーム基部１ａに対し上下回動可能な姿勢調整部ＳＴとして機能させてもよい。
図１０は、その変形例２としてのＨＭディスプレイ５３の支持ブラケット１ｃＢとその近傍構造を説明するための部分前面図である。
【００４３】
図１０に示されるように、変形例２において、アーム基部１ａに相当するアーム基部１ａＢは、支持ブラケット１ｃＢをヒンジ部６において、前後に延びる軸線ＣＬ３まわりに回動可能に支持している。ヒンジ部６には、軸線ＣＬ３上に配置されたねじＮ３を緩締することで、支持ブラケット１ｃＢの回動を許容及び禁止できる。
変形例２では、バッテリＢＴは上下方向に回動昇降し、重心位置ＧＢは、軸線ＣＬ３まわりの円弧上を移動する。
この移動において、上下方向については、重心位置ＧＢ７と重心位置ＧＢ８との間の距離ΔＬ２で重心位置調整が可能である。また、同様に、頭部離接方向としては、回動昇降に連動し距離ΔＬｂで重心位置調整が可能である。
【００４４】
これにより、ＨＭディスプレイ５３におけるバッテリＢＴの重心位置ＧＢは、ＨＭディスプレイ５１におけるボールジョイントでの調整距離である距離Ｌａに、さらに距離ΔＬ２を加えた距離Ｌａ３で上下方向に調整可能となり、使用者の負担をより少なくできる。
さらに、ヒンジ部６の回動により、重心位置ＧＢは、上下方向の移動に連動して頭部Ｈａに対する離接方向にも距離ΔＬｂで移動する。
これにより、重心位置ＧＢは、離接方向にも距離Ｌｂに距離ΔＬｂを加えた広い調整範囲が得られ、使用者の身体的負担をより少なくすることができる。
【００４５】
上述のように、実施例及び変形例１，２は、バッテリＢＴの取り付け位置を上下方向に調整することができる。
これにより、ＨＭディスプレイ５１〜５３は、不使用時に机や棚の上などに載置収納する場合に、バッテリＢＴが載置面に当たって傾いた状態で載置されないように、バッテリＢＴの取り付け位置を上方に移動させ、バッテリＢＴがなるべく載置面に当たらないようにすることができる。
これにより、傾いた姿勢で長期間載置されたことで本体アーム部１が歪む、などの不具合発生を防止でき、ＨＭディスプレイ５１〜５３は長期保管性に優れる。
【００４６】
本体アーム部１の形状は限定されない。上述の弧状のものに限らず、頭部Ｈａの大きさに適合するように弾性的に拡縮可能とされた環状であってもよい。
【符号の説明】
【００４７】
１  本体アーム部
１ａ，１ａＢ  アーム基部、    １ａ１  台座、    １ａ２  ベルト孔
１ｂ  アーム連結部、    １ｃ，１ｃＡ，１ｃＢ  支持ブラケット
１ｃ１，１ｃ１Ａ  上方延出部、    １ｃ２，１ｃ２Ａ  傾斜部
１ｃ３  貫通孔、    １ｃ４Ａ  長孔
２  表示アーム部
２ａ  ベース、    ２ｂ  中間アーム、    ２ｃ  表示部
２ｃ１  表示素子、    ２ｃ２  駆動部、    ２ｄ，２ｅ  連結部
３  バッテリホルダ部
３ｂ  ボールジョイント、    ３ｂ１  ボール部、    ３ｃ  バッテリ保持部
３ｃ１  ボールホルダ部、    ３ｃ２  ベルト、    ３ｃ２ａ  ラッチ
３ｃ２ｂ  先端部、    ３ｃ２ｃ  係合解除片、    ３ｃ３  ベルトホルダ部
３ｄ  ナット
４  調整ベルト
５  通信部、    ５ａ  フック、    ５ｂ，５ｃ  ケーブル
５１〜５３  ＨＭディスプレイ（ヘッドマウントディスプレイ）
６  ヒンジ部
ＡＲａ  範囲
ＢＴ  バッテリ
Ｃ３ｂ  中心位置
ＣＬ２ａ，ＣＬａ，ＣＬ３  軸線
ＣＰａ  交点
ＣＴ  中心線
ＧＡ，ＧＡ１，ＧＡ２，ＧＢ，ＧＢ１〜ＧＢ８  重心位置
Ｈ  使用者、    Ｈａ  頭部
Ｌａ，Ｌｂ，Ｌａ２，Ｌａ３  距離
Ｎ１〜Ｎ３  ねじ
ＳＴ  姿勢調整部
θｂ１，θ６，θｂ２  角度
ΔＬ，ΔＬ２，ΔＬｂ  距離
【図１】
2018157476.tif 000003
【図２】
2018157476.tif 000004
【図３】
2018157476.tif 000005
【図４】
2018157476.tif 000006
【図５】
2018157476.tif 000007
【図６】
2018157476.tif 000008
【図７】
2018157476.tif 000009
【図８】
2018157476.tif 000010
【図９】
2018157476.tif 000011
【図１０】
2018157476.tif 000012